(57)【特許請求の範囲】
【請求項１】
筺体と、
前記筺体の外部にて原稿を搬送する搬送手段と、
前記筺体に取り付けられ、ユーザにより置かれる原稿を支持するとともに、当該筺体の外部から内部へ光を透過させ、当該筺体の内部から外部へ光を透過させるプラテンガラスと、
前記筺体の内部に設けられ、前記プラテンガラスに置かれた原稿に対して当該プラテンガラスを通じて光を照射する第１の光源と、
前記第１の光源を副走査方向に移動させ、当該第１の光源による光の照射位置を当該副走査方向に移動させる移動手段と、
前記筺体の内部に設けられ、前記搬送手段により搬送される原稿に対し光を照射する第２の光源と、
前記筺体に設けられ、前記第２の光源から前記搬送される原稿に光が照射されることにより生じた反射光を当該筺体の内部へ透過させる透過部と、
前記筺体の内部に設けられ、前記第１の光源から前記置かれた原稿に光が照射されることにより生じた反射光であって前記プラテンガラスを透過した反射光、および、前記第２の光源から前記搬送される原稿に光が照射されることにより生じた反射光であって前記透過部を透過した反射光を受光するセンサと、
を備え、
前記搬送手段は、前記筺体の外部にて前記透過部と対向する領域であって前記第２の光源による光が照射される領域を原稿が通過するようかつ当該透過部に沿って原稿が通過するよう原稿を搬送し、
前記搬送される原稿に対し光を照射する前記第２の光源は、前記透過部よりも前記筺体の内部側に面状に形成される第１の発光部と、前記搬送手段により搬送される原稿の搬送方向において当該第１の発光部よりも下流側に配置されるとともに当該透過部よりも当該筐体の内部側に面状に形成される第２の発光部とを有し、
前記第１の発光部と前記第２の発光部との間には、前記透過部を透過した反射光の光路となる間隙が形成され、
前記第１の発光部を介して前記透過部を支持し、当該透過部を支持する部分とは異なる部分が前記筺体により支持されるとともに、一部が当該筐体の外部に露出した第１の金属製の支持部材と、
前記第２の発光部を介して前記透過部を支持し、当該透過部を支持する部分とは異なる部分が前記筺体により支持されるとともに、一部が当該筐体の外部に露出した第２の金属製の支持部材と、
前記透過部よりも前記筺体の外部側に設けられるとともに当該透過部を挟んで前記第１の発光部と対向する位置に設けられる光反射部を用い、当該第１の発光部から前記搬送される原稿の被読み取り部以外へ照射される光を当該被読み取り部に集光させる第１の集光手段と、
前記透過部よりも前記筺体の外部側に設けられるとともに当該透過部を挟んで前記第２の発光部と対向する位置に設けられる光反射部を用い、当該第２の発光部から前記搬送される原稿の被読み取り部以外へ照射される光を当該被読み取り部に集光させる第２の集光手段と
をさらに備えることを特徴とする画像読み取り装置。
【請求項２】
筺体と、
前記筺体の外部にて原稿を搬送する搬送手段と、
前記筺体に取り付けられ、ユーザにより置かれる原稿を支持するとともに、当該筺体の外部から内部へ光を透過させ、当該筺体の内部から外部へ光を透過させるプラテンガラスと、
前記筺体の内部に設けられ、前記プラテンガラスに置かれた原稿に対して当該プラテンガラスを通じて光を照射する第１の光源と、
前記第１の光源を副走査方向に移動させ、当該第１の光源による光の照射位置を当該副走査方向に移動させる移動手段と、
前記筺体の内部に設けられ、前記搬送手段により搬送される原稿に対し光を照射する第２の光源と、
前記筺体に設けられ、前記第２の光源から前記搬送される原稿に光が照射されることにより生じた反射光を当該筺体の内部へ透過させる透過部と、
前記筺体の内部に設けられ、前記第１の光源から前記置かれた原稿に光が照射されることにより生じた反射光であって前記プラテンガラスを透過した反射光、および、前記第２の光源から前記搬送される原稿に光が照射されることにより生じた反射光であって前記透過部を透過した反射光を受光するセンサと、
を備え、
前記搬送手段は、前記筺体の外部にて前記透過部と対向する領域であって前記第２の光源による光が照射される領域を原稿が通過するようかつ当該透過部に沿って原稿が通過するよう原稿を搬送し、
前記搬送される原稿に対し光を照射する前記第２の光源は、前記透過部よりも前記筺体の内部側に面状に形成される第１の発光部と、前記搬送手段により搬送される原稿の搬送方向において当該第１の発光部よりも下流側に配置されるとともに当該透過部よりも当該筐体の内部側に面状に形成される第２の発光部とを有し、
前記第１の発光部と前記第２の発光部との間には、前記透過部を透過した反射光の光路となる間隙が形成され、
前記第１の発光部を介して前記透過部を支持し、当該透過部を支持する部分とは異なる部分が前記筺体により支持されるとともに、一部が当該筐体の外部に露出した第１の金属製の支持部材と、
前記第２の発光部を介して前記透過部を支持し、当該透過部を支持する部分とは異なる部分が前記筺体により支持されるとともに、一部が当該筐体の外部に露出した第２の金属製の支持部材と、
前記透過部よりも前記筺体の外部側に設けられるとともに当該透過部を挟んで前記第１の発光部と対向する位置に設けられ、当該第１の発光部から照射される光であって当該透過部を透過した光が前記搬送される原稿の被読み取り部以外へ照射されることを規制する第１の規制部材と、
前記透過部よりも前記筺体の外部側に設けられるとともに当該透過部を挟んで前記第２の発光部と対向する位置に設けられ、当該第２の発光部から照射される光であって当該透過部を透過した光が前記搬送される原稿の被読み取り部以外へ照射されることを規制する第２の規制部材と
をさらに備えることを特徴とする画像読み取り装置。
【請求項３】
前記第２の光源は、前記透過部を基板として形成されるとともに、当該透過部よりも前記筺体の内部側に発光層が配置されたＥＬ素子により構成されることを特徴とする請求項１または２記載の画像読み取り装置。
【請求項４】
前記第１の光源は、前記搬送手段により原稿が搬送される際、前記透過部を通じて、当該搬送手段により搬送される当該原稿に光を照射し、
前記第２の光源は、前記搬送される原稿の被読み取り部から前記センサに至る光路の副走査方向における一方側に配置され、
前記第１の光源は、前記搬送手段により搬送される前記原稿に光を照射する際、前記光路の副走査方向における他方側に配置されることを特徴とする請求項１または２記載の画像読み取り装置。
【請求項５】
前記透過部よりも前記筺体の内部側に配置された光反射部を用い、前記搬送される原稿の被読み取り部以外へ前記第２の光源から照射される光を、当該被読み取り部に集光させる第３の集光手段を更に備えることを特徴とする請求項１記載の画像読み取り装置。
【請求項６】
前記透過部よりも前記筺体の内部側に配置され、前記第２の発光部から照射される光であって当該透過部を透過した光が前記搬送される原稿の被読み取り部以外へ照射されることを規制する第３の規制部材を更に備えることを特徴とする請求項２記載の画像読み取り装置。
【請求項７】
前記透過部は、前記第２の光源と前記第１の規制部材との間に及び当該第２の光源と前記第２の規制部材との間に、当該第２の光源からの光を散乱させる散乱部を更に備えることを特徴とする請求項２記載の画像読み取り装置。
【請求項８】
筺体と、
前記筺体の外部にて原稿を搬送するとともに予め定められた箇所を経由させて当該原稿を搬送する搬送手段と、
前記筺体に設けられ、当該筺体の外部から内部へ光を透過させる透過部と、
前記筺体の内部に設けられ、前記透過部に面状に形成され、前記予め定められた箇所に向けて光を照射する光源と、
前記筺体の内部に設けられ、前記原稿のうちの前記予め定められた箇所に位置する部位に対して前記光源から光が照射されることにより生じた反射光であって前記透過部を透過した当該反射光を受光するセンサと、
前記透過部よりも前記筺体の外部側に及び当該透過部よりも当該筺体の内部側に配置された光反射部を用い、前記予め定められた箇所以外へ前記光源から照射される光を反射させながら当該予め定められた箇所へ集光する集光手段と、
を含み、
前記搬送手段は、前記筺体の外部にて前記透過部と対向する領域であって前記光源による光が照射される領域を原稿が通過するようかつ当該透過部に沿って原稿が通過するよう原稿を搬送し、
前記光源は、前記透過部よりも前記筺体の内部側に面状に形成される第１の発光部と、前記搬送手段により搬送される原稿の搬送方向において当該第１の発光部よりも下流側に形成されるとともに当該透過部よりも当該筐体の内部側に面状に形成される第２の発光部とを有し、
前記第１の発光部と前記第２の発光部との間には、前記透過部を透過した反射光の光路となる間隙が形成され、
前記第１の発光部を介して前記透過部を支持し、当該透過部を支持する部分とは異なる部分が前記筺体により支持されるとともに、一部が当該筐体の外部に露出した第１の金属製の支持部材と、
前記第２の発光部を介して前記透過部を支持し、当該透過部を支持する部分とは異なる部分が前記筺体により支持されるとともに、一部が当該筐体の外部に露出した第２の金属製の支持部材と、
前記集光手段は、前記透過部よりも前記筺体の外部側に設けられるとともに当該透過部を挟んで前記第１の発光部と対向する位置に設けられる第１の集光手段と、当該透過部よりも当該筺体の外部側に設けられるとともに当該透過部を挟んで前記第２の発光部と対向する位置に設けられる第２の集光手段とをさらに備える画像読み取り装置。
【請求項９】
前記透過部よりも前記筺体の外部側に配置された前記光反射部は、当該透過部の表面に対して蒸着を行うことで形成されていることを特徴とする請求項８記載の画像読み取り装置。
【請求項１０】
前記光源は、発光層を有するとともに当該発光層よりも前記筺体の内部側に金属電極を有したＥＬ素子により構成され、
前記筺体の内部側に設けられた前記光反射部は、前記ＥＬ素子の前記金属電極により形成されていることを特徴とする請求項８記載の画像読み取り装置。
【請求項１１】
前記集光手段は、前記透過部の側部に設けられた側部側反射部を更に用い、前記集光を行うことを特徴とする請求項８記載の画像読み取り装置。
【請求項１２】
筺体と、
前記筺体の外部にて原稿を搬送するとともに予め定められた箇所を経由させて当該原稿を搬送する搬送手段と、
前記筺体に設けられ、当該筺体の外部から内部へ光を透過させる透過部と、
前記筺体の内部に設けられ、前記透過部に面状に形成され、前記予め定められた箇所に向けて光を照射する光源と、
前記筺体の内部に設けられ、前記原稿のうちの前記予め定められた箇所に位置する部位に対して前記光源から光が照射されることにより生じた反射光であって前記透過部を透過した当該反射光を受光するセンサと、
を含み、
前記搬送手段は、前記筺体の外部にて前記透過部と対向する領域であって前記光源による光が照射される領域を原稿が通過するようかつ当該透過部に沿って原稿が通過するよう原稿を搬送し、
前記光源は、前記透過部よりも前記筺体の内部側に面状に形成される第１の発光部と、前記搬送手段により搬送される原稿の搬送方向において当該第１の発光部よりも下流側に形成されるとともに当該透過部よりも当該筐体の内部側に面状に形成される第２の発光部とを有し、
前記第１の発光部と前記第２の発光部との間には、前記透過部を透過した反射光の光路となる間隙が形成され、
前記第１の発光部を介して前記透過部を支持し、当該透過部を支持する部分とは異なる部分が前記筺体により支持されるとともに、一部が当該筐体の外部に露出した第１の金属製の支持部材と、
前記第２の発光部を介して前記透過部を支持し、当該透過部を支持する部分とは異なる部分が前記筺体により支持されるとともに、一部が当該筐体の外部に露出した第２の金属製の支持部材と、
前記透過部よりも前記筺体の外部側に設けられるとともに当該透過部を挟んで前記第１の発光部と対向する位置に設けられ、当該第１の発光部から照射される光であって当該透過部を透過した光が前記搬送される原稿の被読み取り部以外へ照射されることを規制する第１の規制部材と、
前記透過部よりも前記筺体の外部側に設けられるとともに当該透過部を挟んで前記第２の発光部と対向する位置に設けられ、当該第２の発光部から照射される光であって当該透過部を透過した光が前記搬送される原稿の被読み取り部以外へ照射されることを規制する第２の規制部材とをさらに備える画像読み取り装置。
【請求項１３】
前記透過部よりも前記筺体の内部側に配置され、前記第２の発光部から照射される光であって当該透過部を透過した光が前記搬送される原稿の被読み取り部以外へ照射されることを規制する第３の規制部材を更に備えることを特徴とする請求項１２記載の画像読み取り装置。
【発明の詳細な説明】
【技術分野】
【０００１】
本発明は、原稿の画像を読み取る画像読み取り装置に関する。
【背景技術】
【０００２】
小型、薄型の読み取り装置を提供するため、原稿面からの光を直交方向に反射させる傾斜面が形成され、且つ原稿に接する面と相対する面に原稿の読取面を照射するＥＬ発光素子が配された読取ガラスを備えた読み取り装置が提案されている（例えば、特許文献１参照）。また、装置の薄型化および小型化を容易にし、また読み取り画質を向上させるため、ＥＬ素子からの光を斜めに導いて読取部分に集光させる多数の長尺の微小プリズムを有した原稿読み取り装置が提案されている（例えば、特許文献２参照）。
【０００３】
【特許文献１】特開平６−２８４２５７号公報
【特許文献２】特開平６−２１７０８３号公報
【発明の開示】
【発明が解決しようとする課題】
【０００４】
ところで、画像読み取り装置において、原稿に対し照射される光の光量が少ないと、例えばセンサにて受光される光の光量も低下し、画像を適切に読み取れないおそれがある。
本発明の目的は、原稿に照射される光の光量を増加させることにある。
【課題を解決するための手段】
【０００５】
請求項１に記載の発明は、原稿を搬送する搬送手段と、前記搬送手段により搬送される原稿からの反射光を装置内部に向けて透過させる透過部と、ユーザにより置かれる原稿を支持し、当該原稿からの反射光を前記装置内部に向けて透過させるプラテンガラスと、前記プラテンガラスに置かれた原稿に対して光を照射する第１の光源と、前記第１の光源を副走査方向に移動させ、当該第１の光源による光の照射位置を当該副走査方向に移動させる移動手段と、前記透過部に面状に形成され、前記搬送手段により搬送される原稿に対し光を照射する第２の光源と、を含む画像読み取り装置である。
請求項２に記載の発明は、前記第２の光源は、前記透過部の前記装置内部側に形成され、前記搬送される原稿に対し当該透過部を通じて光を照射することを特徴とする請求項１記載の画像読み取り装置である。
請求項３に記載の発明は、前記第２の光源は、前記透過部を基板として形成されたＥＬ素子により構成されることを特徴とする請求項１記載の画像読み取り装置である。
請求項４に記載の発明は、前記第２の光源が形成された前記透過部は、当該第２の光源に接触配置された金属製の接触部材を介して装置本体に支持されることを特徴とする請求項１記載の画像読み取り装置である。
請求項５に記載の発明は、前記第２の光源からの光を前記搬送される原稿の被読み取り部に集光させる集光手段を更に備えることを特徴とする請求項１記載の画像読み取り装置である。
請求項６に記載の発明は、前記透過部には、前記第２の光源からの光が原稿の被読み取り部以外へ照射されることを規制する規制部材が更に設けられることを特徴とする請求項１記載の画像読み取り装置である。
請求項７に記載の発明は、前記第２の光源は、前記透過部の前記装置内部側に形成され、当該透過部を通じて前記搬送される原稿に光を照射し、前記規制部材は、前記透過部の装置外部側に設けられ、前記透過部は、前記第２の光源と前記規制部材との間に、当該第２の光源からの光を散乱させる散乱部を更に備えることを特徴とする請求項６記載の画像読み取り装置である。
請求項８に記載の発明は、前記第１の光源は、前記搬送される原稿に対しても前記透過部を通じて光を照射可能であり、前記第２の光源は、原稿の被読み取り部から原稿からの反射光を受光するセンサに至る光路の副走査方向における一方側に配置され、前記第１の光源は、前記搬送される原稿に光を照射する際、前記光路の副走査方向における他方側に配置されることを特徴とする請求項１記載の画像読み取り装置である。
【０００６】
請求項９に記載の発明は、原稿を搬送する搬送手段と、前記搬送手段により搬送される原稿からの反射光を装置内部に向けて透過させる透過部と、前記透過部に面状に形成され、前記搬送手段により搬送される原稿に対して光を照射する光源と、前記透過部に設けられ、前記搬送される原稿の被読み取り部に前記光源からの光を反射させながら集光する集光手段と、前記光源による原稿からの反射光を受光するセンサと、を含む画像読み取り装置である。
請求項１０に記載の発明は、前記光源は、前記透過部の前記装置内部側に形成され、前記集光手段は、前記透過部の装置外部側に設けられ当該透過部を透過してきた前記光源からの光を反射する外部側反射部を用いて前記光の反射を行うことを特徴とする請求項９記載の画像読み取り装置である。
請求項１１に記載の発明は、前記外部側反射部は、前記透過部の前記装置外部側に蒸着によって形成されることを特徴とする請求項１０記載の画像読み取り装置である。
請求項１２に記載の発明は、前記光源は、発光層よりも前記装置内部側に金属電極を有したＥＬ素子により構成され、前記集光手段は、前記外部側反射部および前記金属電極を用いて前記発光層からの光を反射させながら前記集光を行うことを特徴とする請求項１０記載の画像読み取り装置である。
請求項１３に記載の発明は、前記光源は、光透過性を有し、前記集光手段は、前記光源よりも前記装置内部側に配置され当該光源からの光を当該光源に向けて反射する内部側反射部および前記外部側反射部を用いて当該光源からの光を反射させながら前記集光を行うことを特徴とする請求項１０記載の画像読み取り装置である。
請求項１４に記載の発明は、前記集光手段は、前記透過部の側部に設けられた側部側反射部を用いて前記光の反射を行うことを特徴とする請求項９記載の画像読み取り装置である。
【発明の効果】
【０００７】
本発明の請求項１によれば、本発明を採用しない場合に比べ原稿に照射される光の光量を増すことができる。
本発明の請求項２によれば、本発明を採用しない場合に比べ原稿からの反射光以外の光がセンサにて受光されることを抑制することができる。
本発明の請求項３によれば、例えば、基板を別途有したＥＬ素子を透過部に添付等する場合に比べ、ＥＬ素子における発光層を原稿により接近させることが可能となり、照射される光の光量をさらに増すことが可能となる。
本発明の請求項４によれば、センサにて受光される光量のむらを低減することができる。
本発明の請求項５によれば、原稿の被読み取り部に照射される光の光量をさらに増すことができる。
本発明の請求項６によれば、原稿からの反射光以外の光がセンサにて受光されることをさらに抑制することができる。
本発明の請求項７によれば、第２の光源から規制部材に向かう光を原稿の被読み取り部に対して集光させることができ、反射光以外の光がセンサにて受光されることを抑制しつつ被読み取り部における光量を増すことができる。
【０００８】
本発明の請求項８によれば、本発明を採用しない場合に比べ原稿に照射される光の光量を増すことができる。
本発明の請求項９によれば、本発明を採用しない場合に比べ、例えば装置の薄型化を図ることが可能となる。
本発明の請求項１０によれば、光源側に別途反射部材を設けずとも光の反射が可能となり、構成の簡易化を図ることができる。
本発明の請求項１１によれば、例えば、透過部の側面から外部に漏れる光も集光させることが可能となり、被読み取り部における光量を更に増すことが可能となる。
本発明の請求項１２によれば、本発明を採用しない場合に比べ原稿からの反射光以外の光がセンサにて受光されることを抑制することができる。
本発明の請求項１３によれば、原稿からの反射光以外の光がセンサにて受光されることをさらに抑制することができる。
【発明を実施するための最良の形態】
【０００９】
以下、添付図面を参照して、本発明を実施するための最良の形態(以下、実施の形態という)について詳細に説明する。
―第１の実施形態―
図１は、第１の実施形態が適用される画像読み取り装置１の構成例を示す図である。同図に示す画像読み取り装置１では、固定された原稿の画像を読み取ることが可能であるとともに、搬送される原稿の画像を読み取ることも可能となっている。そして、この画像読み取り装置１は、積載された原稿束から原稿を順次搬送する原稿送り装置１０と、スキャンによって画像を読み込む読み取り装置５０とを備えている。
【００１０】
搬送手段として機能する原稿送り装置１０は、複数枚の原稿からなる原稿束を積載する原稿積載部１１、この原稿積載部１１の下方に設けられ、読み取りが終了した原稿を積載する排紙積載部１２を備える。また、原稿送り装置１０は、原稿積載部１１の原稿を取り出して搬送するナジャーロール１３を備える。さらに、ナジャーロール１３の原稿搬送方向下流側には、フィードロールおよびリタードロールによって用紙を一枚ずつに捌く捌き機構１４が設けられる。原稿が搬送される第１搬送路３１には、原稿搬送方向上流側から順に、プレレジロール１５、レジロール１６、プラテンロール１７、およびアウトロール１８が設けられる。また、原稿送り装置１０の内部には、ＣＩＳ(Contact Image Sensor)ユニット１００が設けられている。
【００１１】
プレレジロール１５は、一枚ずつに捌かれた原稿を下流側のロールに向けて搬送すると共に原稿のループ形成を行う。レジロール１６は、回転を一旦停止した後にタイミングを合わせて回転を再開し、後述する原稿読み取り部に対してレジストレーション調整を施しながら原稿を供給する。プラテンロール１７は、読み取り装置５０にて読み込み中の原稿搬送をアシストする。アウトロール１８は、読み取り装置５０にて読み込まれた原稿をさらに下流に搬送する。また、アウトロール１８よりも原稿搬送方向下流側には、原稿を排紙積載部１２に導くための第２搬送路３２が設けられる。この第２搬送路３２には、排出ロール１９が設けられる。
【００１２】
さらに、この画像読み取り装置１では、原稿の両面に形成された画像を１プロセスで読み取ることができるよう、アウトロール１８の出口側とプレレジロール１５の入口側との間に第３搬送路３３が設けられている。なお、上述した排出ロール１９は、原稿を第３搬送路３３に反転搬送する機能も有している。
さらにまた、この画像読み取り装置１には、原稿の両面読み取りを行った際、その排出時に原稿を再度反転させて排紙積載部１２に排出するための第４搬送路３４が設けられている。この第４搬送路３４は、第２搬送路３２の上部側に設けられている。そして、上述した排出ロール１９は、原稿を第４搬送路３４に反転搬送する機能も有している。
【００１３】
一方、読み取り装置５０は、上述した原稿送り装置１０を開閉可能に支持すると共に、この原稿送り装置１０を装置フレーム５１によって支え、また、原稿送り装置１０によって搬送される原稿の画像読み取りを行っている。この読み取り装置５０は、筐体を形成する装置フレーム５１、ユーザにより置かれる原稿を支持する第１プラテンガラス５２Ａ、原稿送り装置１０によって搬送される原稿を読み取るための光の開口部を有する第２プラテンガラス５２Ｂを備えている。ここで、透過部の一例としての第２プラテンガラス５２Ｂは、例えば長尺の板状構造をなす透明なガラスプレートで構成される。
【００１４】
また、読み取り装置５０は、第２プラテンガラス５２Ｂの下に静止し、あるいは第１プラテンガラス５２Ａの全体にわたってスキャンして画像を読み込むフルレートキャリッジ５３、フルレートキャリッジ５３から得られた光を結像部へ供給するハーフレートキャリッジ５４を備えている。さらに、読み取り装置５０には、フルレートキャリッジ５３（照明ランプ５３ａ）、ハーフレートキャリッジ５４を副走査方向に移動させる移動手段の１つとして機能するモータ等の駆動機構（不図示）が設けられている。フルレートキャリッジ５３には、原稿に光を照射する第１の光源としての照明ランプ５３ａと、照明ランプ５３ａの照射光を原稿面に向けて反射する反射ミラー５３ｂと、原稿から得られた反射光を反射する第１ミラー５７Ａが設けられている。さらに、ハーフレートキャリッジ５４には、第１ミラー５７Ａから得られた光を結像部へ提供する第２ミラー５７Ｂおよび第３ミラー５７Ｃが設けられている。
【００１５】
さらに、読み取り装置５０は、結像用レンズ５８およびＣＣＤイメージセンサ５９を備えている。これらのうち、結像用レンズ５８は、第３ミラー５７Ｃから得られた光学像を光学的に縮小する。また、ＣＣＤイメージセンサ５９は、結像用レンズ５８によって結像された光学像を光電変換する。つまり、読み取り装置５０では、所謂縮小光学系を用いてＣＣＤイメージセンサ５９に像を結像させている。また、読み取り装置５０は、第１プラテンガラス５２Ａと第２プラテンガラス５２Ｂとの間に、原稿送り装置１０において搬送される原稿を案内するガイド５６Ａが形成されており、このガイド５６Ａの下部には、主走査方向に沿って伸びる白基準板５６Ｂが装着されている。
【００１６】
また、読み取り装置５０は、制御・画像処理ユニット７０をさらに備える。制御・画像処理ユニット７０は、ＣＩＳユニット１００に設けられるイメージセンサ（不図示）およびＣＣＤイメージセンサ５９から入力される原稿の画像データに、所定の処理を施す。また、制御・画像処理ユニット７０は、画像読み取り装置（原稿送り装置１０、読み取り装置５０、およびＣＩＳユニット１００）の読み取り動作における各部の動作を制御する。
【００１７】
ここで、図２は、第２プラテンガラス５２Ｂ等を示した図である。
本実施形態では、第２プラテンガラス５２Ｂの裏面（装置内部側）に面状の発光部８０（光源、第２の光源の一例）が蒸着等により設けられ、第２プラテンガラス５２Ｂを基板とした所謂エレクトロルミネッセンスランプ（ＥＬランプ（ＥＬ素子））が設けられた構成となっている。なお、第２プラテンガラス５２Ｂに対し、基板を別途有したＥＬ素子を貼り付けることもできる。但し、この場合は、基板の分だけ原稿の被読み取り部Ａから発光層８２（詳細は後述）が離れるようになり、被読み取り部Ａにおける光量が低下する。このため、第２プラテンガラス５２Ｂを基板としたＥＬ素子とすることが好ましい。
【００１８】
発光部８０は、第２プラテンガラス５２Ｂの裏面全てを覆うわけではなく、第２プラテンガラス５２Ｂの副走査方向における一端部側に形成される第１の発光部８０ａと、この第１の発光部８０ａとは所定の間隙をおいて配置され、第２プラテンガラス５２Ｂの副走査方向における他端部側に形成される第２の発光部８０ｂとを備えている。この結果、本実施形態では、第１の発光部８０ａと第２の発光部８０ｂとの間に、原稿からの反射光の光路となるスリット６３が形成される。
【００１９】
ここで、第１の発光部８０ａおよび第２の発光部８０ｂの各々は、主走査方向に沿って長尺状に形成されている。また、第１の発光部８０ａおよび第２の発光部８０ｂは、互いに略平行に配置されている。さらに、第１の発光部８０ａおよび第２の発光部８０ｂの各々は、既存の技術を用いて構成することができる。例えば、第２プラテンガラス５２Ｂ側に設けられるとともに透明に形成され光透過性を有する第１の電極８１と、第１の電極８１の対向位置に配置される第２の電極８３と、第１の電極８１と第２の電極８３との間に配置され、第１の電極８１および第２の電極８３に対する電圧の印加により発光を行う発光層８２とを備えた構成とすることができる。
【００２０】
ここで、本実施形態における第２の電極８３は、発光層８２よりも装置内部側に配置されている。さらに、本実施形態における第２の電極８３は、アルミニウムなどの金属により形成されている。また、第１の電極８１は、例えばＩＴＯ（Indium Tin Oxide）により形成することができる。また、第１の電極８１と発光層８２との間にホール輸送層、ホール注入層、第２の電極８３と発光層８２との間に電子注入層、電子輸送層を設けることもできる。
【００２１】
さらに、本実施形態では、第２プラテンガラス５２Ｂの一端部側および第１の発光部８０ａを支持する第１の支持部材６１と、第２プラテンガラス５２Ｂの他端部側および第２の発光部８０ｂを支持する第２の支持部材６２とが設けられた構成となっている。付言すれば、本実施形態では、第１の発光部８０ａおよび第２の発光部８０ｂが形成された第２プラテンガラス５２Ｂは、第１の発光部８０ａに接触配置された第１の支持部材６１および第２の発光部８０ｂに接触配置された第２の支持部材６２を介して装置本体として機能する装置フレーム５１に支持される構成となっている。
【００２２】
ここで、接触部材の一例としての第１の支持部材６１は、一端部側が装置フレーム５１により支持されると共に、他端部側にて第２プラテンガラス５２Ｂおよび第１の発光部８０ａを支持している。より詳細には、第１の支持部材６１は、装置フレーム５１により支持される被支持部６１ａと、第１の発光部８０ａの下面に接触し第１の発光部８０ａおよび第２プラテンガラス５２Ｂの一端部側を支持する支持部６１ｂを備えている。また、第１の支持部材６１は、被支持部６１ａと支持部６１ｂとの間に、第２プラテンガラス５２Ｂの側面に接触する接触部６１ｃを備えている。
【００２３】
また、接触部材の一例としての第２の支持部材６２は、一端部側が装置フレーム５１により支持されると共に、他端部側にて第２プラテンガラス５２Ｂおよび第２の発光部８０ｂを支持している。より詳細には、第２の支持部材６２は、装置フレーム５１により支持される被支持部６２ａと、第２の発光部８０ｂの下面に接触し第２の発光部８０ｂおよび第２プラテンガラス５２Ｂの他端部側を支持する支持部６２ｂを備えている。また、第２の支持部材６２は、被支持部６２ａと支持部６２ｂとの間に、第２プラテンガラス５２Ｂの側面に接触する接触部６２ｃを備えている。
【００２４】
ここで、第１の支持部材６１および第２の支持部材６２は、アルミニウムなどの金属により形成されている。このため、これらの支持部材６１，６２はヒートシンクとして機能し、第１の発光部８０ａおよび第２の発光部８０ｂの放熱を促す。詳細に説明すれば、例えば、第１の発光部８０ａにて生じた熱は、支持部６１ｂにより奪われる。そして、この熱は、支持部６１ｂ、接触部６１ｃ、被支持部６１ａを通じて放熱される。また、例えば、第２の発光部８０ｂにて生じた熱は、支持部６２ｂにより奪われる。そして、この熱は、支持部６２ｂ、接触部６２ｃ、被支持部６２ａを通じて放熱される。なお、本実施形態では、被支持部６１ａ，６２ａが読み取り装置５０の外部に露出した状態となっている。このため、放熱をより促すことができる。
【００２５】
また、本実施形態における第１の支持部材６１および第２の支持部材６２の各々は、その表面が黒色に形成されており、光の反射防止機能を有している。これにより第１の支持部材６１および第２の支持部材６２における光の反射、散乱が抑制され、意図しない光がＣＣＤイメージセンサ５９（図１参照）に達することを抑制することができる。
また、第１の発光部８０ａと支持部６１ｂとの間や、第２の発光部８０ｂと支持部６２ｂとの間に、シリコンなどの弾性を有する部材を更に設けることも可能である（不図示）。例えば、第１の発光部８０ａの温度が上昇した場合、第１の発光部８０ａ等の反りにより、第１の発光部８０ａと支持部６１ｂ等の密着が維持できず、放熱性が低下するおそれがある。上記弾性を有する部材を設けることで、第１の発光部８０ａ等に反りが生じたとしても密着性の維持が可能となり、放熱性の低下も抑制可能となる。
なお、本実施形態では、第１の支持部材６１および第２の支持部材６２を別途設ける構成としたが、装置フレーム５１自体を金属により形成すれば、第１の支持部材６１および第２の支持部材６２の省略が可能となる。
【００２６】
ここで、図１も用い原稿の読み取りを行う場合について説明する。
例えば、第１プラテンガラス５２Ａに置かれた原稿の画像を読み取る場合には、フルレートキャリッジ５３とハーフレートキャリッジ５４とが、２：１の割合でスキャン方向(矢印方向)に移動する。このとき、フルレートキャリッジ５３の照明ランプ５３ａの光が原稿の被読み取り面に照射されるとともに、原稿からの反射光が、第１ミラー５７Ａにて反射される。その後、反射光は、第２ミラー５７Ｂ、および第３ミラー５７Ｃの順に反射されて結像用レンズ５８に導かれる。
【００２７】
そして、結像用レンズ５８に導かれた光は、ＣＣＤイメージセンサ５９の受光面に結像される。ＣＣＤイメージセンサ５９は１次元のセンサであり、１ライン分を同時に処理している。そして、このライン方向(スキャンの主走査方向)の１ラインの読み取りが終了すると、主走査方向とは直交する方向（副走査方向）にフルレートキャリッジ５３は移動し、原稿の次のラインを読み取る。これを原稿サイズ全体に亘って実行することで、１ページの原稿読み取りが完了する。
【００２８】
一方、原稿送り装置１０によって搬送される原稿の画像を読み取る場合には、原稿送り装置１０によって搬送される原稿が第２プラテンガラス５２Ｂの上を通過する。このとき、フルレートキャリッジ５３とハーフレートキャリッジ５４とは、図１に示す実線の位置に停止した状態にある。そして、原稿送り装置１０により搬送される原稿の被読み取り面に対し、第２プラテンガラス５２Ｂを通じ発光部８０からの光が照射される。なお、発光部８０の発光に加え、照明ランプ５３ａの点灯を行うこともできる。そして、原稿送り装置１０のプラテンロール１７を経た原稿の１ライン目の反射光が、第２プラテンガラス５２Ｂを透過するとともに上記スリット６３を通過し、その後第１ミラー５７Ａ、第２ミラー５７Ｂ、および第３ミラー５７Ｃを経て結像用レンズ５８に導かれる。
【００２９】
そして、反射光は結像用レンズ５８にて結像され、ＣＣＤイメージセンサ５９によって画像が読み込まれる。そして、１次元のセンサであるＣＣＤイメージセンサ５９によって主走査方向の１ライン分が同時に処理された後、原稿送り装置１０によって搬送される原稿の次の主走査方向の１ラインが読み込まれる。その後、原稿の後端が、第２プラテンガラス５２Ｂの読み取り位置を通過することによって、副走査方向に亘って１ページの読み取りが完了する。なお、ＣＣＤイメージセンサ５９により原稿の第一面の読み取りを行うときに、同時にＣＩＳユニット１００によって、原稿の第二面の読み取りを行うこともできる。
【００３０】
本実施形態では、上記の通り第２プラテンガラス５２Ｂの裏面に発光部８０が設けられている。このため、原稿の被読み取り部Ａ（図２参照）に照射される光の光量を増すことができる。この結果、原稿送り装置１０における原稿の搬送速度を増したとしても光量低下を招くことなく原稿の読み取りが可能となる。換言すれば本構成とすることで単位時間当たりに読み取りが可能となる原稿の枚数を増すことができる。また、ＥＬ素子の消費電力は一般的に小さい。このため、少ない消費電力で、単位時間当たりに読み取りが可能となる原稿の枚数を増すことが可能となる。また、本実施形態では、発光部８０を面状に設けているため、画像読み取り装置１の小型化も可能となる。
【００３１】
さらに、本実施形態では、原稿に照射される光の光量を増すことができるため、所謂キャビティの発生も低減することができる。ここでキャビティとは、例えば、被読み取り部Ａに隣接して密度の高い画像が形成されている場合に、被読み取り部Ａにおける光量が低下し、ＣＣＤイメージセンサ５９にて受光される光の光量が低下する現象をいう。被読み取り部Ａに隣接して画像密度の高い画像が形成されている場合、照射される光がこの画像密度の高い部分にて吸収されてしまう。被読み取り部Ａには、発光部８０から直接照射される光のみならず、被読み取り部Ａ以外にて反射する光も照射される。画像密度の高い画像が形成されている場合には、光の吸収が起こりこの反射する光の光量が低下し、被読み取り部Ａにおける光量が低下してしまう。本実施形態では、上記のように原稿に照射される光の光量を増すことができる。このため、上記画像密度の高い画像が形成されていたとしても、被読み取り部Ａにおける光量を確保可能となり、キャビティの発生を抑制可能となる。
【００３２】
−第２の実施形態−
ここで、図３は、第２の実施形態における第２プラテンガラス５２Ｂ等を示したものである。なお、第１の実施形態と同様の機能については、同様の符号を用いここではその説明を省略する。
【００３３】
本実施形態では、第２プラテンガラス５２Ｂの表面（装置外部側）であってスリット６３（反射光の光路）の両側に、光の反射を行う第１の光反射部９１、第２の光反射部９２が設けられている。より詳細には、第２プラテンガラス５２Ｂの副走査方向における一端部側に外部側反射部の一例としての第１の光反射部９１が設けられ、第２プラテンガラス５２Ｂの副走査方向における他端部側に外部側反射部の一例としての第２の光反射部９２が設けられている。第１の光反射部９１は、第１の発光部８０ａからの光であって第２プラテンガラス５２Ｂを透過してきた光を、第２プラテンガラス５２Ｂの内部方向に向けて反射する。また、第２の光反射部９２は、第２の発光部８０ｂからの光であって第２プラテンガラス５２Ｂを透過してきた光を、第２プラテンガラス５２Ｂの内部方向に向けて反射する。
【００３４】
なお、本実施形態では、第１の光反射部９１のスリット６３側における端部９１ａは、副走査方向において、第１の発光部８０ａのスリット６３側における端部８０ｃよりもスリット６３から離れた側に位置している。また、第２の光反射部９２のスリット６３側における端部９２ａは、副走査方向において、第２の発光部８０ｂのスリット６３側における端部８０ｄよりもスリット６３から離れた側に位置している。
【００３５】
ここで、本実施形態では、発光部８０（第１の発光部８０ａ、第２の発光部８０ｂ）のうちスリット６３から離れた位置にて生じた光も被読み取り部Ａに対して集光することが可能となる。例えば、第１の発光部８０ａのＦ点からの光は、例えば図中矢印Ｇに示すように、集光手段として機能する第１の光反射部９１および第１の発光部８０ａにおける第２の電極８３（図２参照）にて繰り返し反射され、被読み取り部Ａに集光される。なお、本実施形態では、上述のとおり、第１の光反射部９１におけるスリット６３側における端部９１ａは、第１の発光部８０ａのスリット６３側における端部８０ｃよりもスリット６３から離れた側に位置している。このため、例えば、第１の発光部８０ａのスリット６３側におけるＨ点からの光は、第１の光反射部９１によって遮られることなく、被読み取り部Ａに照射される。
【００３６】
さらに、本実施形態では、第１の支持部材６１の接触部６１ｃに、側部側反射部としての第３の光反射部９３が設けられ、第２の支持部材６２の接触部６２ｃに、側部側反射部としての第４の光反射部９４が設けられている。このため、例えば、第２の発光部８０ｂのＪ点から接触部６２ｃ方向に向かう光を、被読み取り部Ａに向けて反射させることができ、被読み取り部Ａにおける光量を増すことができる。
【００３７】
さらに、第１の支持部材６１の支持部６１ｂに内部側反射部としての第５の光反射部９５を設け、第２の支持部材６２の支持部６２ｂに内部側反射部としての第６の光反射部９６を設けることもできる。この場合は、例えば図中Ｋ点から下方に向かう光を反射させることができ、被読み取り部Ａにおける光量を増すことが可能となる。
また、第２の電極８３（図２参照）が光透過性を有する材料（例えば、ＩＴＯ）にて形成された場合（第１の発光部８０ａおよび第２の発光部８０ｂが光透過性を有して形成された場合）、第５の光反射部９５および第６の光反射部９６は、発光層８２、第２の電極８３を透過してきた光の反射も行う。この結果、この場合も被読み取り部Ａにおける光量を増すことができる。
【００３８】
なお、上記第１の光反射部９１および第２の光反射部９２は、第２プラテンガラス５２Ｂの表面に、例えばアルミ蒸着を施すことにより形成することができる。また、上記第３の光反射部９３〜第６の光反射部９６は、例えば、第１の支持部材６１、第２の支持部材６２に対しアルミ蒸着を施すことにより形成することができる。また、第３の光反射部９３〜第６の光反射部９６は、第１の支持部材６１、第２の支持部材６２自体をアルミニウムなどの光反射性を有する材料で構成することでも形成することができる。また、第３の光反射部９３および第４の光反射部９４は、第２プラテンガラス５２Ｂの側面にアルミ蒸着などを施すことで形成することもできる。さらに、第５の光反射部９５および第６の光反射部９６は、例えば、光透過性を有して形成された第２の電極８３の裏面にアルミ蒸着などを施すことで形成することもできる。
【００３９】
―第３の実施形態―
ここで、図４は、第３の実施形態における第２プラテンガラス５２Ｂ等を示したものである。なお、第１の実施形態と同様の機能については、同様の符号を用いここではその説明を省略する。
【００４０】
本実施形態では、第２プラテンガラス５２Ｂの表面（装置外部側）であってスリット６３（反射光の光路）の両側に、光の遮蔽を行う第１の遮蔽部１０１、第２の遮蔽部１０２が設けられている。より詳細には、第２プラテンガラス５２Ｂの副走査方向における一端部側に第１の遮蔽部１０１が設けられ、第２プラテンガラス５２Ｂの副走査方向における他端部側に第２の遮蔽部１０２が設けられている。第１の遮蔽部１０１および第２の遮蔽部１０２は、第１の発光部８０ａおよび第２の発光部８０ｂからの光であって第２プラテンガラス５２Ｂを透過してきた光を遮り、第２プラテンガラス５２Ｂの外部への光の漏れを抑制する。
【００４１】
発光部８０にて生じた光は、全てが被読み取り部Ａに達するわけではなく、実際にはその一部しか被読み取り部Ａに到達しない。そしてこのような場合、被読み取り部Ａに到達しない光（被読み取り部Ａ以外に照射される光）は、装置フレーム５１内を反射し、ＣＣＤイメージセンサ５９に達してしまう場合がある。この結果、原稿からの反射光以外の光がＣＣＤイメージセンサ５９にて受光され、読み取り画像が乱れるおそれがある。本実施形態では、第１の遮蔽部１０１および第２の遮蔽部１０２によって第２プラテンガラス５２Ｂからの光の漏れが抑制されるため、このような不具合の発生を抑制可能となる。ここで、本実施形態における第１の遮蔽部１０１および第２の遮蔽部１０２は、発光部８０からの光が被読み取り部Ａ以外へ照射されることを規制する規制部材と捉えることができる。
【００４２】
なお、本実施形態においても、第１の遮蔽部１０１のスリット６３側における端部１０１ａは、副走査方向において、第１の発光部８０ａのスリット６３側における端部８０ｃよりもスリット６３から離れた側に位置している。また、第２の遮蔽部１０２のスリット６３側における端部１０２ａも、副走査方向において、第２の発光部８０ｂのスリット６３側における端部８０ｄよりもスリット６３から離れた側に位置している。この結果、例えば第１の発光部８０ａのスリット６３側におけるＨ点からの光は、第１の遮蔽部１０１によって遮られることなく、被読み取り部Ａに照射される。即ち、第１の発光部８０ａ（第２の発光部８０ｂも同様）のスリット６３側における端部からの光は、第１の遮蔽部１０１（第２の遮蔽部１０２）によって遮られることなく被読み取り部Ａに対して照射される。
【００４３】
さらに、本実施形態では、第２プラテンガラス５２Ｂに、光の散乱を行う散乱部５２Ｃ，５２Ｄが形成されている。ここで、散乱部５２Ｃは、第１の発光部８０ａの対向位置であって第２プラテンガラス５２Ｂの内部に設けられている。但し、散乱部５２Ｃは、第１の発光部８０ａのスリット６３側における端部の対向位置には設けられていない。これは、例えば、図中Ｈ点から被読み取り部Ａに向かう光を散乱させないためである。また、散乱部５２Ｄは、第２の発光部８０ｂの対向位置であって第２プラテンガラス５２Ｂの内部に設けられている。但し、散乱部５２Ｄは、散乱部５２Ｃと同様に、第２の発光部８０ｂのスリット６３側における端部の対向位置には設けられていない。
【００４４】
本実施形態では、例えば、図中Ｍ点から上方に向かう光を、散乱部５２Ｃにより散乱させ図中矢印Ｎ方向に向かわせることが可能である。また、図中Ｐ点からの光であって第２プラテンガラス５２Ｂの内面を全反射してしまう光を、散乱部５２Ｄによって散乱させることができ、被読み取り部Ａに向かう光（図中矢印Ｑ参照）を生じさせることができる。
この結果、本実施形態では、外部への光の漏れを抑制しつつ被読み取り部Ａにおける光量を増すことが可能となっている。なお、散乱部５２Ｃ，５２Ｄは、例えば、第２プラテンガラス５２Ｂを磨りガラスにより構成することで形成することができる。また、例えば、第２プラテンガラス５２Ｂの内部に光を散乱させる粒子を混在させることでも形成することができる。
【００４５】
ここで上記遮蔽部は、第１の支持部材６１の接触部６１ｃや支持部６１ｂの表面にも形成することができるし、第２の支持部材６２の接触部６２ｃや支持部６２ｂの表面にも形成することができる。第１の支持部材６１や第２の支持部材６２が例えば白色の樹脂などにより形成され光が透過しやすい場合、遮蔽部を設ける構成とすれば、より光の漏れを抑制することができる。なお、遮蔽部は、第２プラテンガラス５２Ｂの側面に形成することもできる。ここで、遮蔽部は、例えば黒色のテープなど光反射の小さい部材を添付することで形成することができる。また、塗装や、蒸着等によっても形成することができる。
【００４６】
―第４の実施形態―
ここで、図５は、第４の実施形態を説明するための図である。
本実施形態では、同図（ａ）に示すように、反射光の光路よりも原稿の搬送方向上流側にのみ発光部８０を設け、発光部８０をフルレートキャリッジ５３に設けられた照明ランプ５３ａの補助光源として機能させている。このように、発光部８０は、照明ランプ５３ａの補助光源として機能させることもできる。
【００４７】
また本実施形態では、第２プラテンガラス５２Ｂの下方に、フルレートキャリッジ５３が位置した際、反射光の光路よりも原稿の搬送方向下流側に照明ランプ５３ａが設けられる構成となっている。換言すれば、副走査方向において、光路を挟んだ一方側に発光部８０が設けられ、光路を挟んだ他方側に照明ランプ５３ａが設けられる構成となっている。なお、本実施形態では、照明ランプ５３ａからの光を遮らないようにするため、第１の支持部材６１は、第２プラテンガラス５２Ｂの端部のみを支持する構成となっている。
【００４８】
ここで図６は、原稿からの反射光を説明するための図である。なお、本図では、上記発光部８０が設けられていない状態となっている。
原稿送り装置１０により原稿の搬送が開始され原稿の先端が第２プラテンガラス５２Ｂの上方に達した段階において、原稿は、同図（ａ）に示すように、第２プラテンガラス５２Ｂとのなす角度が鋭角となるように配置される。この場合、原稿から反射光は、図中矢印に示すように、主に第１ミラー５７Ａよりも原稿の搬送方向上流側に向かう。
【００４９】
一方で、原稿の後端が第２プラテンガラス５２Ｂに達した段階において、原稿は、同図（ｂ）に示すように、第２プラテンガラス５２Ｂとのなす角度が鈍角となるように配置される。この場合、原稿からの反射光は、図中矢印に示すように、主に第１ミラー５７Ａに向かう。
このような場合、ＣＣＤイメージセンサ５９にて受光される光量が、原稿の先端を読んだ場合と原稿の後端を読んだ場合とで異なるようになる。詳細には、同図（ｃ）に示すように、原稿の先端側の光量が少なく原稿の後端側の光量が多いものとなってしまう。
【００５０】
そこで、本実施形態では図５（ａ）にも示したように、光路を挟んだ一方側に発光部８０を設け、光路を挟んだ他方側に照明ランプ５３ａを設ける構成としている。このような構成では、図５（ｂ）に示すように、原稿の先端側を読み取る際にも反射光を主に第１ミラー５７Ａに向かわせることができる。このため、ＣＣＤイメージセンサ５９にて受光される光量を、原稿の先端を読んだ場合と原稿の後端を読んだ場合とで同等のものとすることが可能となる。
なお、上記第１から第４の本実施形態では、第２プラテンガラス５２Ｂに対してＥＬ素子を設けた構成を説明したが、ＣＩＳユニット１００における光源においてもＥＬ素子を用いることができる。
【図面の簡単な説明】
【００５１】
【図１】第１の実施形態が適用される画像読み取り装置の構成例を示す図である。
【図２】第２プラテンガラス等を示した図である。
【図３】第２の実施形態における第２プラテンガラス等を示したものである。
【図４】第３の実施形態における第２プラテンガラス等を示したものである。
【図５】第４の実施形態を説明するための図である。
【図６】原稿からの反射光を説明するための図である。
【符号の説明】
【００５２】
１０…原稿送り装置、５１…装置フレーム、５２Ａ…第１プラテンガラス、５２Ｂ…第２プラテンガラス、５２Ｃ，５２Ｄ…散乱部、５３ａ…照明ランプ、５９…ＣＣＤイメージセンサ、６１…第１の支持部材、６２…第２の支持部材、８０…発光部、８２…発光層、８３…第２の電極、９１…第１の光反射部、９２…第２の光反射部、９３…第３の光反射部、９４…第４の光反射部、９５…第５の光反射部、９６…第６の光反射部、１０１…第１の遮蔽部、１０２…第２の遮蔽部
【図１】
0004930363.tif 000002
【図２】
0004930363.tif 000003
【図３】
0004930363.tif 000004
【図４】
0004930363.tif 000005
【図５】
0004930363.tif 000006
【図６】
0004930363.tif 000007